(57)【特許請求の範囲】
【請求項１】
セルラ通信システム（１００）内のセル（１０５）の基地局（１１０、３００）であって、該基地局は、
電力増幅器（３２５）を有する送信機と、
前記セル（１０５）内のユーザ（１１５、１２０）に対する送信をスケジュールするためのスケジューラ（３１０）と、
を備え、
前記スケジューラ（３１０）は、次回の送信期間における前記電力増幅器（３２５）の出力電力レベルを設定するように更に構成され、
前記スケジューラは、ペイロード・トラフィックを含まない前記次回の送信期間のサブユニットの第１のセットを生成し、前記次回の送信期間においてペイロード・トラフィックを含む前記次回の送信期間のサブユニットの第２のセットを構成し、
サブユニットの前記第１のセットの送信の間、前記電力増幅器の電力レベルおよび前記電力増幅器（３２５）の所定のエラーパラメータのレベルを最小化する
ように更に構成される
ことを特徴とする基地局（１１０、３００）。
【請求項２】
前記電力増幅器（３２５）のための制御装置（３２０）を更に備え、
前記基地局（１１０、３００）において、前記スケジューラ（３１０）は、前記電力増幅器（３２５）が前記次回の送信期間の間に有しなければならない出力電力レベルを前記制御装置（３２０）に通知するように構成され、前記制御装置は、前記出力電力レベルを前記電力増幅器に設定するように構成される
ことを特徴とする請求項１に記載の基地局（１１０、３００）。
【請求項３】
前記電力増幅器（３２５）の前記所定のエラーパラメータは、エラーベクトル振幅（ＥＶＭ）である
ことを特徴とする請求項１に記載の基地局（１１０、３００）。
【請求項４】
ペイロード・トラフィックを含まない前記次回の送信期間のサブユニットの前記第１のセットは、基準シンボルを含む
ことを特徴とする請求項１又は３に記載の基地局（１１０、３００）。
【請求項５】
ペイロード・トラフィックを含まない前記次回の送信期間のサブユニットの前記第１のセットは、基準シンボルも含まず、前記スケジューラは、サブユニットの前記第１のセットの間、前記電力増幅器が電源オフされるように制御するように構成される
ことを特徴とする請求項１又は３に記載の基地局（１１０、３００）。
【請求項６】
前記スケジューラ（３１０）、又は前記電力増幅器（３２５）のための前記制御装置（３２０）は、サブユニットの前記第２のセットが送信され得る最低次数の変調を識別し、当該次数の変調を前記第２のセットの送信に使用する
ことを特徴とする請求項４又は５に記載の基地局（１１０、３００）。
【請求項７】
前記最低次数の変調は、送信に対する異なる複数の受信者が仮定する品質インジケータにより識別される
ことを特徴とする請求項６に記載の基地局（１１０、３００）。
【請求項８】
前記スケジューラ（３１０）、又は前記電力増幅器（３２５）のための前記制御装置（３２０）は、異なる次数の変調を必要とする複数のユーザを識別し、同じ次数の変調を必要とするユーザへの送信が同じサブユニットにグループ化されるように、異なる複数のユーザへの送信を、サブユニットの前記第２のセット内の異なるサブユニットにグループ化する
ことを特徴とする請求項４乃至７の何れか一項に記載の基地局（１１０、３００）。
【請求項９】
前記スケジューラ（３１０）は、次回の時間インターバルの間での送信に使用される最大出力電力レベルを予測し、前記スケジューラ（３１０）は、前記電力増幅器（３２５）の出力電力レベルを設定するとき、当該レベルを最大として使用する
ことを特徴とする請求項１乃至８の何れか一項に記載の基地局（１１０、３００）。
【請求項１０】
前記スケジューラ（３１０）は、前記次回の時間インターバルの間により高い出力レベルが必要な場合、前記予測を上方に調整するように構成されることを特徴とする請求項９に記載の基地局（１１０、３００）。
【請求項１１】
ＬＴＥシステムのｅＮｏｄｅＢであり、前記次回の送信期間は１以上のＬＴＥサブフレーム（ＳＦ）であることを特徴とする請求項１乃至１０の何れか一項に記載の基地局（１１０、３００）。
【請求項１２】
ＷＣＤＭＡシステムのＮｏｄｅＢであり、前記次回の送信期間は１以上のＷＣＤＭＡフレームであることを特徴とする請求項１乃至１０の何れか一項に記載の基地局（１１０、３００）。
【請求項１３】
セルラ通信システム（１００）内のセル（１０５）の基地局（１１０、３００）で使用される方法（４００）あって、該方法は、
前記セル（１０５）内のユーザ（１１５、１２０）に対する送信のために、電力増幅器（３２５）を有する送信機を使用するステップ（４１０）と、
前記ユーザ（１１５、１２０）に対する送信をスケジュールし、スケジューラ（３１０）に、次回の送信期間における前記電力増幅器（３２５）の出力電力レベルを設定させるために、前記基地局内のスケジューラ（３１０）を使用するステップ（４０５）と、
を含み、
次回の送信期間に対して、ペイロード・トラフィックを含まない前記次回の送信期間のサブユニットの第１のセットを生成し、前記次回の送信期間においてペイロード・トラフィックを含む前記次回の送信期間のサブユニットの第２のセットを構成するように、送信をスケジュールするステップと、
前記次回の送信期間に対して、前記電力増幅器（３２５）の出力電力レベルが最低かつ前記電力増幅器（３２５）の所定のエラーパラメータのレベルに設定するよう前記スケジューラから制御するステップと、
を更に含む
ことを特徴とする方法（４００）。
【請求項１４】
前記電力増幅器（３２５）のための制御装置（３２０）を使用するステップと、
前記スケジューラ（３１０）に、前記次回の送信期間における前記電力増幅器（３２５）の出力電力レベルを前記制御装置（３２０）に通知させるステップと、
前記制御装置（３２０）に、前記電力増幅器を設定させるステップと、
を更に含む
ことを特徴とする請求項１３に記載の方法（４００）。
【請求項１５】
前記電力増幅器（３２５）の前記所定のエラーパラメータは、エラーベクトル振幅（ＥＶＭ）であることを特徴とする請求項１３に記載の方法（４００）。
【請求項１６】
ペイロード・トラフィックを含まない前記次回の送信期間のサブユニットの前記第１のセットは、基準シンボルを含む
ことを特徴とする請求項１３又は１５に記載の方法（４００）。
【請求項１７】
ペイロード・トラフィックを含まない前記次回の送信期間のサブユニットの前記第１のセットは、基準シンボルも含まず、サブユニットの前記第１のセットの間、前記電力増幅器は前記スケジューラにより電源オフされるように制御される
ことを特徴とする請求項１４又は１５に記載の方法（４００）。
【請求項１８】
前記スケジューラ（３１０）、又は前記電力増幅器（３２５）のための前記制御装置（３２０）に、サブユニットの前記第２のセットが送信され得る最低次数の変調を識別させ、当該次数の変調を前記第２のセットの送信に使用させるステップを含む
ことを特徴とする請求項１６又は１７に記載の方法（４００）。
【請求項１９】
前記最低次数の変調は、送信に対する異なる複数の受信者が仮定する品質インジケータにより識別される
ことを特徴とする請求項１７に記載の方法（４００）。
【請求項２０】
前記スケジューラ（３１０）、又は前記電力増幅器（３２５）のための前記制御装置（３２０）に、異なる次数の変調を必要とする複数のユーザを識別させ、同じ次数の変調を必要とするユーザへの送信が同じサブユニットにグループ化されるように、異なる複数のユーザへの送信を、サブユニットの前記第２のセット内の異なるサブユニットにグループ化させるステップを含む
ことを特徴とする請求項１６乃至１８の何れか一項に記載の方法（４００）。
【請求項２１】
前記スケジューラ（３１０）に、次回の時間インターバルの間での送信に使用される最大出力電力レベルを予測させ、前記電力増幅器（３２５）の出力電力レベルを設定するとき、前記スケジューラ（３１０）に、当該レベルを最大として使用させるステップを含む
ことを特徴とする請求項１３乃至２０の何れか一項に記載の方法（４００）。
【請求項２２】
前記次回の時間インターバルの間により高い出力レベルが必要な場合、前記スケジューラ（３１０）に前記予測を上方に調整させるステップを含むことを特徴とする請求項２０に記載の方法（４００）。
【請求項２３】
前記次回の送信期間が１以上のＬＴＥサブフレーム（ＳＦ）であるＬＴＥシステムのｅＮｏｄｅＢに適用されることを特徴とする請求項１３乃至２２の何れか一項に記載の方法（４００）。
【請求項２４】
前記次回の送信期間が１以上のＷＣＤＭＡフレームであるＷＣＤＭＡシステムのＮｏｄｅＢに適用されることを特徴とする請求項１３乃至２２の何れか一項に記載の方法（４００）。
【発明の詳細な説明】
【技術分野】
【０００１】
本発明は、セルラ通信システムの基地局の電力低減のための方法および装置を開示する。
【背景技術】
【０００２】
セルラ通信システムにおいては、いわゆる無線アクセスネットワーク（ＲＡＮ）、すなわちユーザ端末を含まないシステムの一部における電力消費を低減したいという恒常的かつ増大する願望がある。
【０００３】
ＲＡＮでの消費電力の大部分は、異なる標準規格のシステムで異なる名前で呼ばれるが、一般的に無線基地局（ＲＢＳ）または単に基地局と呼ばれるノードであるシステム内のセルの制御ノードにある。例えば、ＷＣＤＭＡシステムにおいては、ＲＢＳはＮｏｄｅＢと呼ばれ、ＬＴＥシステムにおいては、ＲＢＳはｅＮｏｄｅＢと呼ばれる。
【０００４】
しかしながら、名前やシステムに関係なく、ＲＢＳの主要な機能は、セルのユーザへの及びユーザからの全てのトラフィックがＲＢＳを経由するということであり、それはＲＢＳによって消費されるエネルギーの大部分に対して少なくとも一部を占める。
【０００５】
ＬＴＥおよびＷＣＤＭＡシステムにおいて、ＲＢＳは、また、セル内のユーザ端末へ及びユーザからの送信のスケジュールの機能であり、ＲＢＳのいわゆるＭＡＣ（メディアアクセス制御）スケジューラにより通常実行される機能を有する。
【０００６】
ＲＢＳの構成要素の中で、主要な電源消費者は、いわゆる電力増幅器（ＰＡ）である。セル境界での高ピークデータレートを要求する現在の要望は、基地局内ＰＡが高い出力電力能力を有することを必要とする。これの欠点は、多くのＲＢＳのＰＡが通常の動作シナリオに対して過剰であり、この欠点は過剰なＰＡは必要以上の多くのエネルギーを消費することである。
【０００７】
ＰＡは、平均出力電力と同様にピーク出力電力を有し、その２つの違いはピーク対平均電力比（ＰＡＰＲ）として知られる。ＰＡのＰＡＰＲは、基地局から送信の他の重要なパラメータ（いわゆるエラーベクトル振幅（ＥＶＭ））を制限し、基地局からの送信が低いＥＶＭとなるように、ＰＡは、平均出力電力とＰＡＰＲとの合計がいわゆるＰＡの線形部分内にとどまるように”バックオフ”（すなわち、ピークの出力電力より出力電力を低減する）される。しかしながら、高い程度の”バックオフ”はＰＡの効率において高い損失となり、結果として不要なエネルギー消費となる。
【発明の概要】
【０００８】
前述したように、通常動作の間、ＲＢＳのＰＡの電力消費が低減され、ＰＡ出力電力能力が、ＲＢＳにより制御されるセルの実トラフィック状況に基づいて好適に使用される解決法が必要とされる。
【０００９】
この種の解決法は、セル内のユーザへの送信をスケジュールするためのスケジューラと、電力増幅器を有する送信機と、を備える、セルラ通信システム内のセルのＲＢＳを開示する本発明により提供される。
【００１０】
本発明のＲＢＳにおいて、スケジューラは、また、次回の送信期間における電力増幅器の出力電力レベルを設定するように構成される。
【００１１】
本発明のＲＢＳ内のスケジューラが次回の送信期間における電力増幅器の出力電力レベルを設定するために構成されるという事実により、スケジューリングとＰＡの出力電力レベルとの間の、以前より高い協調が得ることが可能であり、それにより、以前の解決法に比較してより高い電力効率が可能になり、以下に示すように、不要な電力支出のないＥＶＭの改善をもたらす。
【００１２】
一実施形態において、基地局は、更に、電力増幅器のための制御装置を含み、スケジューラは制御装置に電力増幅器が前記次回の送信期間の間に有するべき出力電力レベルを通知するよう構成される。そして、制御装置は、出力電力レベルを電力増幅器に設定するように構成される。
【００１３】
一実施形態において、スケジューラは、また、電力増幅器の出力電力レベルと電力増幅器の所定のエラーパラメータのレベルを最小化するように次回の送信期間のためのスケジューリングを実行して、出力電力レベルを電力増幅器に設定するように構成される。
【００１４】
本発明の一実施形態において、電力増幅器の所定のエラーパラメータは、エラーベクトル振幅（ＥＶＭ）である。
【００１５】
本発明の一実施形態において、スケジューラは、次回の送信期間においてペイロード・トラフィックを含まず空であるかまたは基準シンボルのみを含むサブユニットの第１のセットを生成し、次回の送信期間においてペイロード・トラフィックを含むサブユニットの第２のセットを構成するように送信をスケジュールすることによって最小化を実行する。
【００１６】
本発明の一実施形態において、スケジューラまたは電力増幅器のための制御装置は、サブユニットの第２のセットが送信され得る最低次数の変調を識別し、サブユニットの第２のセットの送信に対してこの次数の変調を使用する。
【００１７】
これら及び他の実施形態が、以下の説明において更に詳細に記載されている。
【００１８】
本発明は、基地局内で使用される対応する方法も開示する。
【００１９】
本発明は、添付の図面を参照して、以下において更に詳細に記載されている。
【図面の簡単な説明】
【００２０】
【図１】本発明が適用され得るシステムの模式図である。
【図２】本発明の前提技術である基地局のブロック図である。
【図３】本発明の基地局のブロック図である。
【図４】本発明の方法のフローチャートである。
【発明を実施するための形態】
【００２１】
本発明の理解を容易にするために、本発明を更に詳細に説明する前に図１及び図２を参照していくつかの背景情報を提供する。
【００２２】
図１は、本発明が好適に適用されるシステム１００の例を示している。図示されるように、システム１００はセルラシステムであり、多くのセルを含み、その１つは図１の１０５として示される。各々のセルは、多数の”ＵＥ”（ユーザ装置）と総称されるユーザ端末を含み得、その２つが図１の１１５及び１２０として示される。
【００２３】
システム１００の各セルに対し、図１の１１０として示される制御ノード（一般に”無線基地局”（ＲＢＳ）と称する）がある。基地局１１０の１つの役割は、セル１０５内のＵＥへの及びＵＥからの全てのトラフィックが当該ＲＢＳを経由するということである。
【００２４】
ここでは総称”ＲＢＳ”として参照される制御ノードは、異なる種類のシステムで異なる名前を有するが、ＲＢＳの基本的役割は同じであることに留意する必要がある。例として、ＷＣＤＭＡ系のシステムでは、ＲＢＳはＮｏｄｅＢと呼ばれ、ＬＴＥシステムでは、ＲＢＳはｅＮｏｄｅＢと呼ばれる。本発明は、他のシステムと同様にＷＣＤＭＡシステム及びＬＴＥシステムに適用可能であるが、この説明では主に総称用語（例えば”ＲＢＳ”および”ＵＥ”）を使用する。
【００２５】
セル内のＵＥへの及びＵＥからの、全てのトラフィックがＲＢＳを経由するので、システム１００内においてＲＢＳはエネルギーの主な消費者である。上述したように、本発明の目的の１つは、ＲＢＳにより消費されるエネルギーの低減を達成することである。この目的で、電力増幅器はＲＢＳ内でのエネルギーの主な消費者であるため、本発明は、ＲＢＳの電力増幅器（ＰＡ）により消費される電力を低減する方法を開示する。
【００２６】
本発明の理解を容易にするために、図２は、従来技術におけるＲＢＳ２００の対応する部分の例を示している。
【００２７】
ＲＢＳ２００内で示される部分は、いわゆるＲＥＣ（無線装置制御部）２０５および無線装置２１５である。ＲＥＣ２０５は、ＲＢＳ２００からセル内のＵＥへの送信をスケジュールするいわゆるＭＡＣ（メディアアクセス制御）スケジューラ２１０を備えている。ＲＥＣ２０５は、また、出て行くデータのためのキュー２１１と信号処理機能（ＳＰ）２１２とを備えている。
【００２８】
ＲＥ２１５は、ＲＥ制御機能２２０、電力増幅器（ＰＡ）２２５、アップコンバータ（”コンバータ”）２２４、および、ＰＡ２２５からの出力のいわゆるクリッピング（すなわちＰＡ２２５からの出力電力の最高ピークを除去する）のためのクリッピング機能（”クリップ”）２２３を含む。
【００２９】
本発明のＲＢＳ３００は図３に示される。図３のＲＢＳ３００に対して異なる参照番号が使用されているが、ＲＢＳ３００の基本的”ブロック”は従来技術のＲＢＳ２００の同様のものに対応すると理解される。たとえば、ＲＢＳ３００は、ＲＥＣ３０５およびＲＥ３１５を含む。
【００３０】
しかしながら、本発明の原理の１つは、ＭＡＣスケジューラ３１０が、セル内のＵＥへの送信のスケジューリングを実行するだけでなく、次回の送信期間におけるＰＡ３２５の出力電力レベルを設定するよう構成されていることである。これに加えて、一実施形態において、本発明のＲＢＳ３００のＭＡＣスケジューラ３１０は、電力増幅器の出力電力レベルと電力増幅器（ＰＡ３２５）の所定のエラーパラメータのレベルとを最小化するように、次回の送信期間におけるスケジューリングを実行するように構成される。好適には、所定のエラーパラメータは、ＥＶＭ（エラーベクトル振幅）である。
【００３１】
以下により例示されるように、本発明は、多くの方法によりそして多くの理由により、ＰＡ３２５の電力消費に関して有益である。
・ＭＡＣ３１０によってスケジュールされる次回の送信期間のサブユニットはペイロード・トラフィックを含まず、これらのサブユニットの送信には基準シンボルのみが必要とされる。ＰＡ３２５はこの種のサブユニットの間、非常に低いパフォーマンス・レベルで動作可能なように、これらのサブユニットには非常に低いＥＶＭ必要条件を有し、対応して必要出力電力が低い。代わりに、送信する信号を（すなわち基準シンボルも）含まない場合に、サブユニットの間にＰＡがオフ可能なように、サブユニットは全てのトラフィックから自由である。
・ＥＶＭ必要条件を低減するため、ペイロード・トラフィックを含む次回の送信期間のサブユニットは、可能な限り低次の変調を使用できる。ＰＡの”バックオフ”はこれらのサブユニットに対して低減されＰＡの効率は増加する。
【００３２】
また、本発明のＲＢＳ３００のＭＡＣスケジューラ３１０は、未使用シンボルの間、ＰＡ３２５が”マイクロスリープ”出来るように、サブユニット内でのシンボルあたりの使用出力電力をＰＡ３２５にシグナリングすることが出来る。
【００３３】
本発明は、ＬＴＥシステム及びＷＣＤＭＡシステムの双方に適用可能である。スケジューラがトラフィック状況を予測し分析する上述の次回の送信期間は、ＬＴＥにおいては１以上のいわゆるサブフレーム（ＳＦ）であり、ＷＣＤＭＡにおいては１以上のいわゆるフレームである。上述のサブユニットは、ＬＴＥでは少なくとも１つのサブフレーム（１つのＳＦ）であり、ＷＣＤＭＡアプリケーションでは、サブユニットはＴＴＩ（送信時間間隔）である。ＭＡＣスケジューラは、フレームベースで導出されるストラテジ内で、あらゆるサブ・フレーム（ＬＴＥ）またはＴＴＩ（ＷＣＤＭＡ）に対してスケジューリング決定を実行する。そのため、ＭＡＣスケジューラ２１０によってスケジュールされる次回の送信期間は、ＬＴＥアプリケーションでは１以上のサブ・フレームであり、ＷＣＤＭＡアプリケーションでは１以上のＴＴＩである。
【００３４】
図３に示すように、一実施形態において、ＰＡ３２５のための制御装置３２０はＲＢＳ３００内に含まれ、本発明の基地局３００の一実施形態では、ＭＡＣスケジューラ３１０は、次回の送信期間における、電力増幅器の出力電力レベルと電力増幅器の所定のエラーパラメータのレベルとを、制御装置３２０に通知し、制御装置３２０はＰＡ３２５を設定する。ＭＡＣスケジューラ３１０からＰＡ３２５の制御のための制御装置３２０に送信される信号は、完全な次回の送信期間のための有効な１セットの値を含み得、又は、次回の送信期間内のＯＦＤＭシンボルにつき、例えば出力電力レベルおよび所定のエラーパラメータ（例えばＥＶＭ）のレベルのようなよりきめ細かい解像度を通知し得る。
【００３５】
このように、本発明のＲＢＳ３００のＭＡＣスケジューラ３１０からＲＥＣ３２０またはＰＡ３２５への信号は、ＲＥＣ３０５とＲＥ３１５との間のインタフェースを介して好適に送信される。
【００３６】
一実施形態において、制御装置３２０は、ＰＡ３２５が扱うことができる最大出力をＭＡＣスケジューラ３１０に通知する。これは、例えば、ＥＶＭに対する低い要求をもつユーザへ１以上のＳＦにおいてグループ送信し、この種のＳＦの間、ＰＡ３２５の平均出力電力を増加させるためにＭＡＣスケジューラ３１０によって使用され得る。
【００３７】
一般に、以下では、本発明のさまざまな他の実施形態が記載されている。これらの実施形態の説明において、ＬＴＥ用語が使用されているが、これは単に本発明に対する読者の理解を容易にするためのものであることを指摘しなければならず、本発明は、また、ＷＣＤＭＡシステムに適用され、以下のＬＴＥの特定の詳細は、対応するＷＣＤＭＡシステムの詳細（例えば、ＬＴＥのサブフレームに対応するＷＣＤＭＡのＴＴＩ）に置換され得る。
【００３８】
本発明の一実施形態において、上述したように、ＭＡＣ３１０は、セルの負荷を監視し、”アクティブ”である必要があるＳＦ（基準シンボルのみを送信する”非アクティブ”ではないＳＦ）の数を決定する。言い換えると、”非アクティブ”のＳＦ（すなわち基準シンボルのみを搬送するＳＦ）に対して、”アクティブ”のＳＦは、ペイロード・トラフィックを搬送するＳＦである。ＭＡＣ３１０は、次回のＳＦが”アクティブ””非アクティブ”の２のカテゴリのうちの一方に属すると確認することによって、この情報をＲＥ制御３２０に送信する。
【００３９】
例えば、セルの負荷が、最新の数秒にわたる平均で３０％未満であるとき、あらゆる１０ｍｓフレームにおいて３個のＳＦのみの送信が必要である（すなわち、１０個の中の３個のＳＦは”アクティブ”であることを必要とし、１０個の中の残りの７個のＳＦは”非アクティブ”（すなわち、基準シンボルのみを送信する））。本実施形態において、セルの負荷はＭＡＣ３１０によって連続的に監視され、ＲＢＳの１以上の送信バッファが特定の閾値を上回るとき、付加的なＳＦが”非アクティブ”状態から”アクティブ”状態に遷移する。連続的にセルの負荷を監視する代わりに、もちろん、特定の間隔または特定の規則によって負荷監視され得る。
【００４０】
好適には、ＭＡＣ３１０によりアクティブであると選択されたＳＦは、必須シグナリング（例えば同期チャネルおよび同報情報）を搬送するＳＦと同じである。
【００４１】
他の実施形態では、更に、トラフィックを搬送するＳＦの電力消費を最適化するために、ＵＥに必要な変調に基づいてＵＥはカテゴリにソートされ得る。良好なリンク品質を必要とする（又は仮定される）高ビットレートＵＥは、高位の変調から利点を得て、同じＳＦでＲＢＳからの送信を受信するためにＭＡＣ３１０によって選択される。低ビットレートユーザおよび劣悪なリンク品質を有するユーザは、ＥＶＭのより低い必要条件を有する下位の変調に対して選択される。これらのＵＥは、グループ化されＲＢＳ３００からの送信を一緒に（すなわち同じＳＦで）受信する。
【００４２】
下位の変調を使用可能な１以上のユーザへの送信に利用可能なそれらのＳＦによって、ＰＡ３２５は低いバックオフを有することができ、ＲＥ３１５の電力消費は低減され、それによりＲＢＳ３００の電力消費も低減される。
【００４３】
ＭＡＣスケジューラ３１０は、次のサブ・フレームの必要出力電力とＥＶＭとをＲＥ制御３２０に通知し、ＲＥ制御２２０は、それに従って動作するようにＰＡ３２５を（例えば、そのバイアス及びクリッピング閾値を設定することにより）構成する。
【００４４】
この実施形態のあるバージョンにおいて、セル内の異なる複数のＵＥにわたって”ジョイント・リンクアダプテーション”がＭＡＣ３１０により実行される。本実施形態におけるＭＡＣ３１０は、異なる複数のＵＥがＲＢＳ３００からの送信であると仮定される品質インジケータ（例えば、各々のＵＥのサービス品質（ＱｏＳ）契約）に従って動作する。
【００４５】
ＭＡＣ３１０は、ＳＦが満たされるまで複数のＵＥにわたって繰り返し、全てのＵＥのＱｏＳ契約を満たす最低次数の変調を選択する。ＳＦにおける結果出力電力及びＥＶＭは、ＭＡＣ３１０からＲＥ制御３２０に送信され、それらから（自身を好適に構成可能な）ＰＡ３２５に送信される。必要出力電力およびＥＶＭ必要条件は、また、
平均出力電力＋変調依存ＰＡＰＲマージン
で構成される最大出力電力設定としてＭＡＣ３１０からＲＥ制御３２０に通知され得る。
【００４６】
スケジューリングを実行するためにＱｏＳのような品質インジケータがＭＡＣ３１０によって使用され得る実施形態のあるバージョンにおいて、ＵＥサービスのＱｏＳ目標ベースのいわゆる”コーディネート・リンクアダプテーション”が使用され得る。このような実施形態では、ＭＡＣスケジューラ３１０は、各ＵＥに対するＱｏＳ契約に対応するために送信が必要なビット数の最小値を算出する。
【００４７】
”リンクアダプテーション”は、最初、ロバストな変調のみが使用される制約に対して考慮され、例えば繰り返し徐々により弱い変調を使用する。ＱｏＳ契約に対応している最もロバストな変調が使用のためにスケジュールされる。特定のＳＦに対するＱｏＳ契約目標が満たされるとき、使用される最高次数の変調が、当該ＳＦの間、他のＵＥによって使用される制約を設定する。例えば、ＵＥに必要な最高次数の変調が６４ＱＡＭである場合、この変調は同じＳＦの全ての他のＵＥに対する使用に利用できる。
【００４８】
次のＳＦの間の電力効率を最適化するため、選択された最も弱い変調（この例では６４ＱＡＭ）およびＰＡ３２５の出力電力は、クリッピング機能３２３及びＰＡ３２５にシグナリングされる。
【００４９】
ＭＡＣスケジューラ３１０による処理量を低減するため、ＭＡＣスケジューラ３１０は、好適に、ＵＥのＱｏＳ契約に対応するために送信が必要な最大のビット量を有するＵＥに対する”リンクアダプテーション”の計算を開始し、次に、２番目に多いビット量を有するＵＥに対して続ける。
【００５０】
いくつかのＲＢＳにおいて、ＰＡの異なる出力電力レベルに適応に必要な時間は、１ＳＦ（すなわち１ミリ秒）を上回るかもしれない。本発明は、この種の無線に対応するために、後述する方法で、ゆっくり変化する最大出力電力限界により延長され得る。
【００５１】
このような実施形態では、ＭＡＣスケジューラ３１０は、次回の期間における最大出力必要条件（平均＋ＰＡＰＲマージン）を予測し、予測の時間期間の長さは、少なくともＲＢＳがＰＡ３２５の異なる出力電力レベルへの適応に必要な時間である。バイアス（すなわちＰＡ３２５の出力電力レベル）を調整するために、予測は、ＭＡＣスケジューラ３１０からＲＥ制御３２０にシグナリングされ
【００５２】
調整が完了すると、ＲＥ制御３２０はＭＡＣスケジューラ３１０にシグナリングするか、又は、ＭＡＣスケジューラ３１０は、新規な最大出力電力限界が有効であるとき、自身で決定するためにＲＢＳまたはＰＡ３２５のモデルを使用する。そして、ＭＡＣスケジューラ３１０は、この最大出力の範囲内で動作して、オプションで、上述したスケジューリング可能性のいずれかを使用する。
【００５３】
ＭＡＣスケジューラ３１０が、セル内のＵＥのＱｏＳ契約がＰＡ３２５の最大出力電力の限界により対応できないと予測したとき、ＭＡＣスケジューラ３１０は、無線の最大出力電力を増加するように要求をＲＥ制御３２０に送信する。（本実施形態では、ＭＡＣスケジューラ３２５の予測は、全ての所望トラフィックをサポートするために、可能な限り小さい出力電力を使用するように設計されるか、又は、出力電力低減において更なる利得を得るため非重要トラフィックのスループットを減少させる。
【００５４】
本発明はＬＴＥシステム及びＷＣＤＭＡシステムの双方に適用可能であるが、”予測実施形態”において、予測は、同じＭＣＰＡを介して搬送される回線交換（ＣＳ）トラフィック（例えばＤＣＨおよびＣＣＨ）も考慮する必要がある。
【００５５】
このように、予測は、ＣＳトラフィック＋ＨＳＤＰＡ電力必要性＋可能性マージンを含む。ＭＡＣスケジューラは、各ＴＴＩに対して、無線の現在の最大出力電力およびＣＳ必要性を調査し、対応して自身のトラフィックを制限することを必要とする。
【００５６】
図４は、本発明の方法４００のいくつかの主要なステップのフローチャートを示す。方法４００は、セルラ通信システム内のセルの基地局での使用を意図しており、ステップ４０５に示すように、方法４００は、セル内のユーザへの送信をスケジュールする基地局内のスケジューラを使用するステップを含む。
【００５７】
ステップ４１０で示されるように、方法４００は、また、この種の送信に対して電力増幅器を有する送信機を使用するステップを含み、ステップ４１５に示されるように、当該方法は、電力増幅器の出力電力レベルおよび電力増幅器の所定のエラーパラメータのレベルを最小化するために、次回の送信期間のためのスケジューリングをスケジューラに実行させるステップを含む。ステップ４２０は、方法４００が、電力増幅器の出力電力レベルをスケジューラに設定させるステップも含むことを示している。
【００５８】
本発明は上述した実施形態の例及び図面に限定されず、添付の請求の範囲内で自由に変化し得る。
【図１】
0005228117.tif 000002
【図２】
0005228117.tif 000003
【図３】
0005228117.tif 000004
【図４】
0005228117.tif 000005